(57)【要約】      （修正有）【課題】スケートボーダーにとって安全、かつ、曲率変化や凹凸のない滑らかなアールを形成するスケートボードパークコンクリート施工方法を提供する。【解決手段】スケートボードパークコンクリート施工方法は、硬化前のコンクリートを表面湾曲部となる領域におけるボトムとプラットフォームとを結ぶ方向全域に配設する硬化前コンクリート配設工程Ｓ２と、第１所定方向に長尺な第１板状部材を、ボトムとプラットフォームとを結ぶ方向に対する幅方向に長尺にした姿勢でボトムとプラットフォームとを結ぶ方向へ沿って移動させる均し工程Ｓ４と、第２所定方向に長尺であり第２所定方向における中央部分が端部分より突出するような所定曲率の湾曲した湾曲面を有した第２板状部材を、ボトムとプラットフォームとを結ぶ方向に長尺にした姿勢でボトムとプラットフォームとを結ぶ方向および幅方向の少なくとも一方へ移動させる仕上げ工程Ｓ６とを具備している。【選択図】図２
2020105871.tif 000002
【特許請求の範囲】
【請求項１】
スケートボードパークのセクションのアールである表面湾曲部をコンクリートで形成するスケートボードパークコンクリート施工方法であって、
硬化前のコンクリートを表面湾曲部となる領域におけるボトムとプラットフォームとを結ぶ方向全域に配設する硬化前コンクリート配設工程と、
第１所定方向に長尺な第１板状部材を、ボトムとプラットフォームとを結ぶ方向に対する幅方向に長尺にした姿勢でボトムとプラットフォームとを結ぶ方向へ沿って移動させて表面湾曲部の表面を均す第１均し工程と、
第２所定方向に長尺であり第２所定方向における中央部分が端部分より突出するような所定曲率の湾曲した湾曲面を有した第２板状部材を、ボトムとプラットフォームとを結ぶ方向に長尺にした姿勢でボトムとプラットフォームとを結ぶ方向および幅方向の少なくとも一方へ移動させて表面湾曲部の表面の凹凸を整えて仕上げる仕上げ工程とを具備していることを特徴とするスケートボードパークコンクリート施工方法。
【請求項２】
前記硬化前コンクリート配設工程において、硬化前のコンクリートを送るコンクリート用チューブの先端および圧縮空気を送る空気用チューブの先端に設けられたノズルから圧縮空気によって硬化前のコンクリートを噴射して表面湾曲部となる領域に配設することを特徴とする請求項１に記載のスケートボードパークコンクリート施工方法。
【請求項３】
前記硬化前コンクリート配設工程と第１均し工程との間に、第３所定方向に長尺な第３板状部材であって、第３板状部材の側縁部が、第３所定方向の一端側においてセクションの表面湾曲部より上方に設置された丁張りの水平材と接触する上方基準接触部分と、第３所定方向の他端側においてセクションのボトムとなる箇所の位置決め箇所と接触する下方基準接触部分と、上方基準接触部分と下方基準接触部分との間において、第３所定方向の中央部分が端部分より突出するような第２板状部材と同じ所定曲率の湾曲した湾曲部分とを有し、第３板状部材をボトムとプラットフォームとを結ぶ方向に長尺にした姿勢で、表面湾曲部となる領域における硬化前のコンクリートに対して第３板状部材の湾曲部分を押し当てて深さ方向において表面湾曲部の表面となる基準目印溝を形成し、第３板状部材を、前記幅方向に移動させて、表面湾曲部となる領域における硬化前のコンクリートに対して第３板状部材の湾曲部分を押し当てて前記幅方向において基準目印溝を複数形成する基準目印溝形成工程をさらに具備していることを特徴とする請求項１または請求項２に記載のスケートボードパークコンクリート施工方法。
【請求項４】
前記第１均し工程の第１板状部材が、第１板状部材の短手方向における中央部分が端部分より突出するような第２板状部材と同じ所定曲率の湾曲した湾曲面を有していることを特徴とする請求項１乃至請求項３のいずれか１つに記載のスケートボードパークコンクリート施工方法。
【請求項５】
前記第１均し工程と仕上げ工程との間に、第４所定方向に長尺な第４板状部材であって、第４板状部材の側縁部が、第４所定方向における中央部分が端部分より突出するような第２板状部材と同じ所定曲率の湾曲した湾曲部分を有し、第４板状部材を、ボトムとプラットフォームとを結ぶ方向に長尺にした姿勢で、ボトムとプラットフォームとを結ぶ方向に対する幅方向へ沿って移動させて表面湾曲部の表面を均す第２均し工程をさらに具備していることを特徴とする請求項１乃至請求項４のいずれか１つに記載のスケートボードパークコンクリート施工方法。
【請求項６】
板状部と、板状部に取り付けられた取手部とを備えたスケートボードパークコンクリート施工用コテであって、
前記板状部が、所定方向に長尺であり所定方向における中央部分が端部分より突出するような所定曲率の湾曲した湾曲面を有し、
前記所定曲率が、スケートボードパークのセクションのアールである表面湾曲部の曲率であることを特徴とするスケートボードパークコンクリート施工用コテ。
【請求項７】
板状部と、板状部に対して回動自在に連結して取り付けられた棒状部とを備えたスケートボードパークコンクリート施工用Ｔ字型均し器具であって、
前記板状部が、所定方向に長尺であり、板状部の短手方向における中央部分が端部分より突出するような所定曲率の湾曲した湾曲面を有し、
前記所定曲率が、スケートボードパークのセクションのアールである表面湾曲部の曲率であることを特徴とするスケートボードパークコンクリート施工用Ｔ字型均し器具。
【請求項８】
板状部を備えたスケートボードパークコンクリート施工用基準目印溝形成器具であって、
前記板状部が、所定方向に長尺であり、
前記板状部の側縁が、所定方向の一端側においてセクションのアールである表面湾曲部より上方に設置された丁張りの水平材と接触する上方基準接触部分と、
前記所定方向の他端側においてセクションのボトムとなる箇所の位置決め箇所と接触する下方基準接触部分と、
前記上方基準接触部分と下方基準接触部分との間において、所定方向の中央部分が端部分より突出する所定曲率の湾曲した湾曲部分とを有し、
前記所定曲率が、スケートボードパークのセクションのアールである表面湾曲部の曲率であることを特徴とするスケートボードパークコンクリート施工用基準目印溝形成器具。
【請求項９】
板状部を備えたスケートボードパークコンクリート施工用弧型均し器具であって、
前記板状部が、所定方向に長尺であり、
前記板状部の側縁が、所定方向の中央部分が端部分より突出する所定曲率の湾曲した湾曲部分を有し、
前記所定曲率が、スケートボードパークのセクションのアールである表面湾曲部の曲率であることを特徴とするスケートボードパークコンクリート施工用弧型均し器具。
【発明の詳細な説明】
【技術分野】
【０００１】
本発明は、スケートボードパークのセクションのアールである表面湾曲部をコンクリートで形成するスケートボードパークコンクリート施工方法、スケートボードパークコンクリート施工用コテ、スケートボードパークコンクリート施工用Ｔ字型均し器具、スケートボードパークコンクリート施工用基準目印溝形成器具、および、スケートボードパークコンクリート施工用弧型均し器具に関する。
【背景技術】
【０００２】
従来、コンクリート施工用型枠を、施工場所において所定形状に組み付けることによってコンクリート打設部の全部または一部を規制し、その後、このコンクリート打設部にコンクリートを打設し、一定時間養生させた後、コンクリート施工用型枠を除去することを特徴とするコンクリート施工用型枠を用いたコンクリート施工方法が知られている（例えば、特許文献１）。
ここで、コンクリート施工用型枠の内部にコンクリートを一気に全部打設すると、砕石とセメントの比重差による分離や大きな気泡が発生する傾向がある。
そこで、コンクリート打設部にコンクリートを一部のみ打設し、一定時間養生させた後、その上方にコンクリートを打設し、一定時間養生させた後、さらにその上方にコンクリートを打設することが知られている。
これにより、一気にコンクリートを打設した場合と比べて、砕石とセメントの比重差による分離や大きな気泡の発生を抑制していた。
このような従来のコンクリート施工方法によるスケートボードパークのランプセクションとして、例えば、図１２（Ａ）および図１２（Ｂ）に示すようなランプセクション５００がある。
ここで、図１２（Ａ）は、従来のコンクリート施工方法によって形成されたスケートボードパークのランプセクション５００を示す斜視図であり、図１２（Ｂ）は、図１２（Ａ）における符号１２Ｂから視た側面図である。
従来のランプセクション５００は、表面湾曲部であるアール５１０と、垂直面部であるバーチカル５２０と、水平面部であるボトム５３０と、プラットフォーム５４０と、パイプ部であるコーピング５５０とを有している。
【先行技術文献】
【特許文献】
【０００３】
【特許文献１】特開平１１−１２５００５号公報
【発明の概要】
【発明が解決しようとする課題】
【０００４】
しかしながら、上述した従来のランプセクション５００は、複数回に分けてコンクリート打設されて水平方向に所謂、コールドジョイントと呼ばれる地層の境界のような模様線が生じる構造であり、複数回に分けてアール５１０が形成されて、養生されたため、余分な水分が抜けてコンクリートが収縮する際に、各層の中央が、図１２（Ｂ）において点線で示す設計図のアール設計表面Ｄから退避するように収縮するため、アール５１０の表面５１１が波打つように曲率が変化した凹凸を有し、スケートボーダーにとって安全面が十分ではないという問題があった。
【０００５】
そこで、本発明は、前述したような従来技術の問題を解決するものであって、すなわち、本発明の目的は、スケートボーダーにとって安全、かつ、曲率変化や凹凸のない滑らかなアールを形成するスケートボードパークコンクリート施工方法、スケートボードパークコンクリート施工用コテ、スケートボードパークコンクリート施工用Ｔ字型均し器具、スケートボードパークコンクリート施工用基準目印溝形成器具、スケートボードパークコンクリート施工用弧型均し器具を提供することである。
【課題を解決するための手段】
【０００６】
本請求項１に係る発明は、スケートボードパークのセクションのアールである表面湾曲部をコンクリートで形成するスケートボードパークコンクリート施工方法であって、硬化前のコンクリートを表面湾曲部となる領域におけるボトムとプラットフォームとを結ぶ方向全域に配設する硬化前コンクリート配設工程と、第１所定方向に長尺な第１板状部材を、ボトムとプラットフォームとを結ぶ方向に対する幅方向に長尺にした姿勢でボトムとプラットフォームとを結ぶ方向へ沿って移動させて表面湾曲部の表面を均す第１均し工程と、第２所定方向に長尺であり第２所定方向における中央部分が端部分より突出するような所定曲率の湾曲した湾曲面を有した第２板状部材を、ボトムとプラットフォームとを結ぶ方向に長尺にした姿勢でボトムとプラットフォームとを結ぶ方向および幅方向の少なくとも一方へ移動させて表面湾曲部の表面の凹凸を整えて仕上げる仕上げ工程とを具備していることにより、前述した課題を解決するものである。
【０００７】
本請求項２に係る発明は、請求項１に記載されたスケートボードパークコンクリート施工方法の構成に加えて、前記硬化前コンクリート配設工程において、硬化前のコンクリートを送るコンクリート用チューブの先端および圧縮空気を送る空気用チューブの先端に設けられたノズルから圧縮空気によって硬化前のコンクリートを噴射して表面湾曲部となる領域に配設することにより、前述した課題をさらに解決するものである。
【０００８】
本請求項３に係る発明は、請求項１または請求項２に記載されたスケートボードパークコンクリート施工方法の構成に加えて、前記硬化前コンクリート配設工程と第１均し工程との間に、第３所定方向に長尺な第３板状部材であって、第３板状部材の側縁部が、第３所定方向の一端側においてセクションの表面湾曲部より上方に設置された丁張りの水平材と接触する上方基準接触部分と、第３所定方向の他端側においてセクションのボトムとなる箇所の位置決め箇所と接触する下方基準接触部分と、上方基準接触部分と下方基準接触部分との間において、第３所定方向の中央部分が端部分より突出するような第２板状部材と同じ所定曲率の湾曲した湾曲部分とを有し、第３板状部材をボトムとプラットフォームとを結ぶ方向に長尺にした姿勢で、表面湾曲部となる領域における硬化前のコンクリートに対して第３板状部材の湾曲部分を押し当てて深さ方向において表面湾曲部の表面となる基準目印溝を形成し、第３板状部材を、前記幅方向に移動させて、表面湾曲部となる領域における硬化前のコンクリートに対して第３板状部材の湾曲部分を押し当てて前記幅方向において基準目印溝を複数形成する基準目印溝形成工程をさらに具備していることにより、前述した課題をさらに解決するものである。
【０００９】
本請求項４に係る発明は、請求項１乃至請求項３のいずれか１つに記載されたスケートボードパークコンクリート施工方法の構成に加えて、前記第１均し工程の第１板状部材が、第１板状部材の短手方向における中央部分が端部分より突出するような第２板状部材と同じ所定曲率の湾曲した湾曲面を有していることにより、前述した課題をさらに解決するものである。
【００１０】
本請求項５に係る発明は、請求項１乃至請求項４のいずれか１つに記載されたスケートボードパークコンクリート施工方法の構成に加えて、前記第１均し工程と仕上げ工程との間に、第４所定方向に長尺な第４板状部材であって、第４板状部材の側縁部が、第４所定方向における中央部分が端部分より突出するような第２板状部材と同じ所定曲率の湾曲した湾曲部分を有し、第４板状部材を、ボトムとプラットフォームとを結ぶ方向に長尺にした姿勢で、ボトムとプラットフォームとを結ぶ方向に対する幅方向へ沿って移動させて表面湾曲部の表面を均す第２均し工程をさらに具備していることにより、前述した課題をさらに解決するものである。
【００１１】
本請求項６に係る発明は、板状部と、板状部に取り付けられた取手部とを備えたスケートボードパークコンクリート施工用コテであって、前記板状部が、所定方向に長尺であり所定方向における中央部分が端部分より突出するような所定曲率の湾曲した湾曲面を有し、前記所定曲率が、スケートボードパークのセクションのアールである表面湾曲部の曲率であることにより、前述した課題を解決するものである。
【００１２】
本請求項７に係る発明は、板状部と、板状部に対して回動自在に連結して取り付けられた棒状部とを備えたスケートボードパークコンクリート施工用Ｔ字型均し器具であって、前記板状部が、所定方向に長尺であり、板状部の短手方向における中央部分が端部分より突出するような所定曲率の湾曲した湾曲面を有し、前記所定曲率が、スケートボードパークのセクションのアールである表面湾曲部の曲率であることにより、前述した課題を解決するものである。
【００１３】
本請求項８に係る発明は、板状部を備えたスケートボードパークコンクリート施工用基準目印溝形成器具であって、前記板状部が、所定方向に長尺であり、前記板状部の側縁が、所定方向の一端側においてセクションのアールである表面湾曲部より上方に設置された丁張りの水平材と接触する上方基準接触部分と、前記所定方向の他端側においてセクションのボトムとなる箇所の位置決め箇所と接触する下方基準接触部分と、前記上方基準接触部分と下方基準接触部分との間において、所定方向の中央部分が端部分より突出する所定曲率の湾曲した湾曲部分とを有し、前記所定曲率が、スケートボードパークのセクションのアールである表面湾曲部の曲率であることにより、前述した課題を解決するものである。
【００１４】
本請求項９に係る発明は、板状部を備えたスケートボードパークコンクリート施工用弧型均し器具であって、前記板状部が、所定方向に長尺であり、前記板状部の側縁が、所定方向の中央部分が端部分より突出する所定曲率の湾曲した湾曲部分を有し、前記所定曲率が、スケートボードパークのセクションのアールである表面湾曲部の曲率であることにより、前述した課題を解決するものである。
【発明の効果】
【００１５】
本発明のスケートボードパークコンクリート施工方法は、スケートボードパークのセクションのアールである表面湾曲部をコンクリートで形成することができるばかりでなく、以下のような特有の効果を奏することができる。
【００１６】
本請求項１に係る発明のスケートボードパークコンクリート施工方法によれば、表面湾曲部の表面の全域が第２板状部材によって所定曲率の湾曲した湾曲面となるため、スケートボーダーにとって安全、かつ、曲率変化や凹凸のない滑らかなアールを形成して提供することができる。
さらに、ボトムとプラットフォームとを結ぶ方向全域に硬化前のコンクリートを配設して表面を均して整えて仕上げるため、ボトムとプラットフォームとを結ぶ方向に分割して硬化前のコンクリートを順次打設する工法と比べて、コンクリートが乾燥するに生じる収縮ムラによる波打ちのような曲率変化や凹凸をほぼ無にすることができるとともに表面の地層のような模様を無にして見栄えをよくすることができる。
【００１７】
本請求項２に係る発明のスケートボードパークコンクリート施工方法によれば、請求項１に係る発明が奏する効果に加えて、噴射された硬化前のコンクリートが表面湾曲部となる領域に圧着して配設されるため、硬化前のコンクリートを流し込む工法の場合のように硬化前のコンクリートが垂れてしまうことを回避して、硬化前のコンクリートを表面湾曲部となる領域に簡単に定着させることができる。
さらに、硬化前のコンクリートが霧状または粒状で噴射されて表面湾曲部となる領域に着弾してコンクリートの内部に気泡であるエアーが殆ど生じないため、振動式タンピング機を用いてコンクリートの内部のエアーを逃がすタンピング工程が不要となり、その分だけ作業を軽減するとともに時間を短縮することができる。
【００１８】
本請求項３に係る発明のスケートボードパークコンクリート施工方法によれば、請求項１または請求項２に係る発明が奏する効果に加えて、第１均し工程の前段階において、基準目印溝が形成され、第１均し工程において基準目印溝を目印に硬化前のコンクリートを削るようにシェイピングして表面湾曲部となる領域を均せばよいため、深さ方向において深く削ってしまうことを回避することができ、設計図通りの位置に表面湾曲部を形成することができる。
さらに、基準目印溝を目印に硬化前のコンクリートを削るようにシェイピングして表面湾曲部となる領域を均せばよいため、凹凸がなく、かつ、基準目印溝に沿った表面湾曲部の表面を形成することができる。
【００１９】
本請求項４に係る発明のスケートボードパークコンクリート施工方法によれば、請求項１乃至請求項３のいずれか１つに係る発明が奏する効果に加えて、第１均し工程において、表面湾曲部の表面の全域が第１板状部材によってほぼ所定曲率の湾曲した湾曲面となるため、仕上げ工程の作業を軽減することができる。
【００２０】
本請求項５に係る発明のスケートボードパークコンクリート施工方法によれば、請求項１乃至請求項４のいずれか１つに係る発明が奏する効果に加えて、第２均し工程において、表面湾曲部の表面の全域が第４板状部材によってより精度の高い所定曲率の湾曲した湾曲面となるため、仕上げ工程の作業をより一層軽減することができる。
【００２１】
本請求項６に係る発明のスケートボードパークコンクリート施工用コテによれば、表面湾曲部の表面の全域がスケートボードパークのコンクリート施工用コテの板状部によって所定曲率の湾曲した湾曲面となるため、スケートボーダーにとって安全、かつ、曲率変化や凹凸のない滑らかなアールを形成して提供することができる。
【００２２】
本請求項７に係る発明のスケートボードパークコンクリート施工用Ｔ字型均し器具によれば、第１均し工程において、表面湾曲部の表面の全域がスケートボードパークのコンクリート施工用Ｔ字型均し器具の板状部によってほぼ所定曲率の湾曲した湾曲面となるため、仕上げ工程の作業を軽減することができる。
つまり、スケートボーダーにとって安全、かつ、曲率変化や凹凸のない滑らかなアールを形成して提供することができる。
【００２３】
本請求項８に係る発明のスケートボードパークコンクリート施工用基準目印溝形成器具によれば、第１均し工程の前段階において、基準目印溝が形成され、第１均し工程において基準目印溝を目印に硬化前のコンクリートを削るようにシェイピングして表面湾曲部となる領域を均せばよいため、深さ方向において深く削ってしまうことを回避することができ、設計図通りの位置に表面湾曲部を形成することができる。
さらに、基準目印溝を目印に硬化前のコンクリートを削るようにシェイピングして表面湾曲部となる領域を均せばよいため、凹凸がなく、かつ、基準目印溝に沿った表面湾曲部の表面を形成することができる。
つまり、スケートボーダーにとって安全、かつ、曲率変化や凹凸のない滑らかなアールを形成して提供することができる。
【００２４】
本請求項９に係る発明のスケートボードパークコンクリート施工用弧型均し器具によれば、第１均し工程の後の第２均し工程において、表面湾曲部の表面の全域が第４板状部材によってより精度の高い所定曲率の湾曲した湾曲面となるため、仕上げ工程の作業をより一層軽減することができる。
つまり、スケートボーダーにとって安全、かつ、曲率変化や凹凸のない滑らかなアールを形成して提供することができる。
【図面の簡単な説明】
【００２５】
【図１】本発明の実施例であるスケートボードパークコンクリート施工方法によって形成されたスケートボードパークのセクションのアールである表面湾曲部を示す斜視図。
【図２】本発明の実施例であるスケートボードパークコンクリート施工方法を示すチャート図。
【図３】（Ａ）（Ｂ）は、本発明の実施例であるスケートボードパークコンクリート施工方法の硬化前コンクリート配設工程の様子を示す斜視図および側面図。
【図４】（Ａ）（Ｂ）は、本発明の実施例であるスケートボードパークコンクリート施工方法の基準目印溝形成工程の様子を示す斜視図および側面図。
【図５】（Ａ）（Ｂ）は、本発明の実施例であるスケートボードパークコンクリート施工用基準目印溝形成器具を示す側面図および正面図。
【図６】（Ａ）（Ｂ）は、本発明の実施例であるスケートボードパークコンクリート施工方法の第１均し工程の様子を示す斜視図および側面図。
【図７】（Ａ）〜（Ｃ）は、本発明の実施例であるスケートボードパークコンクリート施工用Ｔ字型均し器具を示す平面図、正面図および側面図。
【図８】（Ａ）（Ｂ）は、本発明の実施例であるスケートボードパークコンクリート施工方法の第２均し工程の様子を示す斜視図および側面図。
【図９】（Ａ）（Ｂ）は、本発明の実施例であるスケートボードパークコンクリート施工用弧型均し器具を示す側面図および正面図。
【図１０】（Ａ）（Ｂ）は、本発明の実施例であるスケートボードパークコンクリート施工方法の仕上げ工程の様子を示す斜視図および側面図。
【図１１】（Ａ）〜（Ｃ）は、本発明の実施例であるスケートボードパークコンクリート施工用コテを示す平面図、正面図および側面図。
【図１２】（Ａ）（Ｂ）は、従来の施工方法によって形成されたスケートボードパークのセクションのアールを示す斜視図および側面図。
【発明を実施するための形態】
【００２６】
本発明のスケートボードパークコンクリート施工方法は、硬化前のコンクリートを表面湾曲部となる領域におけるボトムとプラットフォームとを結ぶ方向全域に配設する硬化前コンクリート配設工程と、第１所定方向に長尺な第１板状部材を、ボトムとプラットフォームとを結ぶ方向に対する幅方向に長尺にした姿勢でボトムとプラットフォームとを結ぶ方向へ沿って移動させて表面湾曲部の表面を均す第１均し工程と、第２所定方向に長尺であり第２所定方向における中央部分が端部分より突出するような所定曲率の湾曲した湾曲面を有した第２板状部材を、ボトムとプラットフォームとを結ぶ方向に長尺にした姿勢でボトムとプラットフォームとを結ぶ方向および幅方向の少なくとも一方へ移動させて表面湾曲部の表面の凹凸を整えて仕上げる仕上げ工程とを具備していることにより、スケートボーダーにとって安全、かつ、曲率変化や凹凸のない滑らかなアールを形成して提供することができ、ボトムとプラットフォームとを結ぶ方向に分割して硬化前のコンクリートを順次打設する工法と比べて、コンクリートが乾燥するに生じる収縮ムラによる波打ちのような曲率変化や凹凸をほぼ無にすることができるとともに表面の地層のような模様を無にして見栄えをよくすることができるものであれば、その具体的な実施態様は、如何なるものであっても構わない。
例えば、硬化前コンクリート配設工程における硬化前のコンクリートの配置方法は、流し込みでもよいし、圧縮空気を利用して硬化前のコンクリートをミスト状に噴射して吹き付けてもよい。
【００２７】
また、本発明のスケートボードパークコンクリート施工用コテは、板状部と、板状部に取り付けられた取手部とを備え、板状部が、所定方向に長尺であり所定方向における中央部分が端部分より突出するような所定曲率の湾曲した湾曲面を有し、所定曲率が、スケートボードパークのセクションのアールである表面湾曲部の曲率であることにより、スケートボーダーにとって安全、かつ、曲率変化や凹凸のない滑らかなアールを形成して提供することができるものであれば、その具体的な実施態様は、如何なるものであっても構わない。
所定曲率は、設計図面に記載されているアールの曲率と同じまたは略同じであればよい。
【００２８】
さらに、本発明のスケートボードパークコンクリート施工用Ｔ字型均し器具は、板状部と、板状部に対して回動自在に連結して取り付けられた棒状部とを備え、板状部が、所定方向に長尺であり、板状部の短手方向における中央部分が端部分より突出するような所定曲率の湾曲した湾曲面を有し、所定曲率が、スケートボードパークのセクションのアールである表面湾曲部の曲率であることにより、仕上げ工程の作業を軽減することができるものであれば、その具体的な実施態様は、如何なるものであっても構わない。
所定曲率は、設計図面に記載されているアールの曲率と同じまたは略同じであればよい。
【００２９】
また、本発明のスケートボードパークコンクリート施工用基準目印溝形成器具は、板状部を備え、板状部が、所定方向に長尺であり、板状部の側縁が、所定方向の一端側においてセクションのアールである表面湾曲部より上方に設置された丁張りの水平材と接触する上方基準接触部分と、所定方向の他端側においてセクションのボトムとなる箇所の位置決め箇所と接触する下方基準接触部分と、上方基準接触部分と下方基準接触部分との間において、所定方向の中央部分が端部分より突出する所定曲率の湾曲した湾曲部分とを有し、所定曲率が、スケートボードパークのセクションのアールである表面湾曲部の曲率であることにより、スケートボーダーにとって安全、かつ、曲率変化や凹凸のない滑らかなアールを形成して提供することができるものであれば、その具体的な実施態様は、如何なるものであっても構わない。
さらに、本発明のスケートボードパークコンクリート施工用弧型均し器具は、板状部を備え、板状部が、所定方向に長尺であり、板状部の側縁が、所定方向の中央部分が端部分より突出する所定曲率の湾曲した湾曲部分を有し、所定曲率が、スケートボードパークのセクションのアールである表面湾曲部の曲率であることにより、スケートボーダーにとって安全、かつ、曲率変化や凹凸のない滑らかなアールを形成して提供することができるものであれば、その具体的な実施態様は、如何なるものであっても構わない。
【実施例】
【００３０】
以下に、本発明の実施例であるＳＳＨＳ工法：Skate Section Hand Shape工法（スケートセクションハンドシェイプ工法）であるスケートボードパークコンクリート施工方法について、図１乃至図１１（Ｃ）に基づいて説明する。
ここで、図１は、本発明の実施例であるスケートボードパークコンクリート施工方法によって形成されたスケートボードパークのセクションの表面湾曲部であるアール１１０を示す斜視図であり、図２は、本発明の実施例であるスケートボードパークコンクリート施工方法を示すチャート図であり、図３（Ａ）は、本発明の実施例であるスケートボードパークコンクリート施工方法の硬化前コンクリート配設工程の様子を示す斜視図であり、図３（Ｂ）は、図３（Ａ）における符号３Ｂから視た側面図であり、図４（Ａ）は、本発明の実施例であるスケートボードパークコンクリート施工方法の基準目印溝形成工程の様子を示す斜視図であり、図４（Ｂ）は、図４（Ａ）における符号４Ｂから視た側面図であり、図５（Ａ）は、本発明の実施例であるスケートボードパークコンクリート施工用基準目印溝形成器具ＲＭを示す側面図であり、図５（Ｂ）は、図５（Ａ）における符号５Ｂから視た正面図であり、図６（Ａ）は、本発明の実施例であるスケートボードパークコンクリート施工方法の第１均し工程の様子を示す斜視図であり、図６（Ｂ）は、図６（Ａ）における符号６Ｂから視た側面図であり、図７（Ａ）は、本発明の実施例であるスケートボードパークコンクリート施工用Ｔ字型均し器具ＳＴを示す平面図であり、図７（Ｂ）は、図７（Ａ）における符号７Ｂから視た正面図であり、図７（Ｃ）は、図７（Ａ）における符号７Ｃから視た側面図であり、図８（Ａ）は、本発明の実施例であるスケートボードパークコンクリート施工方法の第２均し工程の様子を示す斜視図であり、図８（Ｂ）は、図８（Ａ）における符号８Ｂから視た側面図であり、図９（Ａ）は、本発明の実施例であるスケートボードパークコンクリート施工用弧型均し器具ＳＰを示す側面図であり、図９（Ｂ）は、図９（Ａ）における符号９Ｂから視た正面図であり、図１０（Ａ）は、本発明の実施例であるスケートボードパークコンクリート施工方法の仕上げ工程の様子を示す斜視図であり、図１０（Ｂ）は、図１０（Ａ）における符号１０Ｂから視た側面図であり、図１１（Ａ）は、本発明の実施例であるスケートボードパークコンクリート施工用コテＭＢを示す平面図であり、図１１（Ｂ）は、図１１（Ａ）における符号１１Ｂから視た正面図であり、図１１（Ｃ）は、図１１（Ａ）における符号１１Ｃから視た側面図である。
【００３１】
本発明の実施例であるスケートボードパークコンクリート施工方法によって形成されたスケートボードパークのセクションの一例であるランプセクション１００は、図１に示すように、表面湾曲部であるアール１１０と、垂直面部であるバーチカル１２０と、水平面部であるボトム１３０と、プラットフォーム１４０と、パイプ部であるコーピング１５０とを有している。
アール１１０は、所定曲率（側視曲面の半径の逆数）の湾曲面を有し、ボトム１３０とバーチカル１２０とを滑らかに繋ぐように形成されている。
プラットフォーム１４０は、バーチカル１２０の上方に水平または略水平に形成されている。
コーピング１５０は、プラットフォーム１４０とから形成される角に配設されている。
なお、一例としてバーチカル１２０を有するランプセクション１００を挙げたが、バーチカル１２０を有さない初心者、中級者向けのランプセクションでもよい。
【００３２】
続いて、本発明の実施例であるスケートボードパークコンクリート施工方法について説明する。
図２に示すように、ステップＳ１では、スケートボードパーク設計図面に沿って、盛り土ＢＫや基盤を整え、盛り土ＢＫや基盤に型枠ＦＭを配設するとともに、鉄筋ＲＢを敷設する（図３（Ａ）参照）。
この際、プラットフォーム１４０となる箇所にコンクリート受け板ＢＲを、コーピング１５０の延設予定方向に沿って立てる。
また、鉄筋ＲＢにおけるプラットフォーム側端部は、鉄筋保持材ＨＺによって挟むようにして保持されている。
【００３３】
ステップＳ２では、図２（Ａ）および図３（Ｂ）に示すように、硬化前コンクリート配設工程として、硬化前のコンクリートＵＣをアール１１０となる領域におけるボトム１３０とプラットフォーム１４０とを結ぶ方向Ｓの全域に配設する。
これにより、従来の施工方法で生じていた横方向のコールドジョイントが生じない。
また、従来の施工方法で生じていたコールドジョイントによる凹凸が生じない。
この際、アール１１０となる領域だけでなく、バーチカル１２０となる領域にも硬化前のコンクリートＵＣを配設する。
【００３４】
さらに本実施例では、硬化前のコンクリートＵＣを送るコンクリート用チューブＴＢ１の先端および圧縮空気を送る空気用チューブＴＢ２の先端に設けられたノズルＮＺから圧縮空気によって硬化前のコンクリートＵＣを噴射してアール１１０となる領域に配設する。
これにより、噴射された硬化前のコンクリートＵＣがアール１１０となる領域に圧着して配設される。
その結果、硬化前のコンクリートＵＣを流し込む工法の場合のように硬化前のコンクリートＵＣが垂れてしまうことを回避して、硬化前のコンクリートＵＣをアール１１０となる領域に簡単に定着させることができる。
さらに、硬化前のコンクリートＵＣが霧状または粒状で噴射されてアール１１０となる領域に着弾してコンクリートの内部に気泡であるエアーが殆ど生じない。
その結果、振動式タンピング機を用いてコンクリートの内部のエアーを逃がすタンピング工程が不要となり、その分だけ作業を軽減するとともに時間を短縮することができる。
【００３５】
なお、ボトム１３０側からアール１１０およびバーチカル１２０へ向かって噴射された硬化前のコンクリートＵＣは、コーピング１５０が配設される箇所から上方の領域に多少はみ出すこともあるが、コンクリート受け板ＢＲに当たるため、噴射された硬化前のコンクリートＵＣの意図しないそれ以上の飛び散りを防止することができる。
そして、コンクリート受け板ＢＲが受け止めた硬化前のコンクリートＵＣをプラットフォーム１４０の施行に用いてもよい。
コンクリート受け板ＢＲの姿勢を垂直より急となるように傾けて設置することが望ましい。
コンクリート受け板ＢＲに当たった硬化前のコンクリートＵＣがコンクリート受け板ＢＲから自重によって落ちやすくなるからである。
【００３６】
ステップＳ３では、図４（Ａ）および図４（Ｂ）に示すように、基準目印溝形成工程として、例えば、アール定規とも呼ばれるスケートボードパークコンクリート施工用基準目印溝形成器具ＲＭを用いて、硬化前のコンクリートＵＣをアール１１０となる領域に基準目印溝ＭＫを複数形成する。
ここで、ランプセクション１００のアール１１０より上方には、丁張りの水平材としての鉄筋保持材ＨＺが水平方向に延びて設置されている。
また、アール１１０の下方には、ボトム１３０を形成する水平な面として、位置決め箇所ＢＴが設けられている。
【００３７】
図５（Ａ）および図５（Ｂ）に示すように、スケートボードパークコンクリート施工用基準目印溝形成器具ＲＭは、第３所定方向に長尺な第３板状部材である板状部ＲＭ１と、板状部ＲＭ１に取り付けられた取手部ＲＭ２とを備えている。
さらに、第３板状部材である板状部ＲＭ１の側縁（第３板状部材の側縁部）ＲＭ１１が、第３所定方向の一端側に設けられた上方基準接触部分ＲＭ１２と、第３所定方向の他端側に設けられた下方基準接触部分ＲＭ１３と、上方基準接触部分ＲＭ１２と下方基準接触部分ＲＭ１３との間に設けられた湾曲部分ＲＭ１４と、湾曲部分ＲＭ１４の上方に設けられた直線部分ＲＭ１５とを有している。
このうち、上方基準接触部分ＲＭ１２は、第３所定方向の一端側においてランプセクション１００のアール１１０より上方に設置された丁張りの水平材の一例である鉄筋保持材ＨＺと接触するように構成されている。
また、下方基準接触部分ＲＭ１３は、第３所定方向の他端側においてセクションのボトム１３０となる箇所の位置決め箇所ＢＴと接触するように構成されている。
【００３８】
さらに、湾曲部分ＲＭ１４は、第３所定方向の中央部分が端部分より突出する所定曲率で湾曲して形成されている。
直線部分ＲＭ１５は、バーチカル１２０と対向する箇所に設けられている。
第３板状部材である板状部ＲＭ１の湾曲部分ＲＭ１４の所定曲率は、スケートボードパークのランプセクション１００の設計図のアール１１０である表面湾曲部の曲率である。
そして、第３板状部材である板状部ＲＭ１をボトム１３０とプラットフォーム１４０とを結ぶ方向Ｓに長尺にした姿勢で、上方基準接触部分ＲＭ１２を鉄筋保持材ＨＺに掛ける。
また、下方基準接触部分ＲＭ１３を位置決め箇所ＢＴに乗せるようにして位置決め箇所ＢＴと接触させる。
これにより、高さ方向において、アール１１０となる領域に対してスケートボードパークコンクリート施工用基準目印溝形成器具ＲＭが位置決めされる。
さらに、上方基準接触部分ＲＭ１２を、ボトム１３０側からプラットフォーム１４０側へ向かって鉄筋保持材ＨＺに押しつけるようにして接触させる。
つまり、上方基準接触部分ＲＭ１２が、鉄筋保持材ＨＺの上側部分およびボトム側から視た手前側部分と接触する。
【００３９】
これにより、深さ方向およびボトム１３０とプラットフォーム１４０とを結ぶ方向Ｓにおいて、アール１１０となる領域に対してスケートボードパークコンクリート施工用基準目印溝形成器具ＲＭが位置決めされる。
これに伴い、アール１１０となる領域における硬化前のコンクリートＵＣに湾曲部分ＲＭ１４がめり込み、基準目印溝ＭＫが形成される。
言い換えると、アール１１０となる領域における硬化前のコンクリートＵＣに対して第３板状部材である板状部ＲＭ１の湾曲部分ＲＭ１４を押し当てて深さ方向においてアール１１０の表面１１１となる基準目印溝ＭＫを形成する。
さらに、スケートボードパークコンクリート施工用基準目印溝形成器具ＲＭを、ボトム１３０とプラットフォーム１４０とを結ぶ方向Ｓに対する幅方向Ｔに移動させて、アール１１０となる領域における硬化前のコンクリートＵＣに対して第３板状部材である板状部ＲＭ１の湾曲部分ＲＭ１４を押し当てて幅方向Ｔにおいて基準目印溝ＭＫを複数形成する。
【００４０】
これにより、次の第１均し工程Ｓ４の前段階において、基準目印溝ＭＫが形成され、第１均し工程Ｓ４において基準目印溝ＭＫを目印に硬化前のコンクリートＵＣを削るようにシェイピングしてアール１１０となる領域を均せばよい。
その結果、深さ方向において深く削ってしまうことを回避することができ、設計図通りの位置にアール１１０を形成することができる。
さらに、基準目印溝ＭＫを目印に硬化前のコンクリートＵＣを削るようにシェイピングしてアール１１０となる領域を均せばよいため、凹凸がなく、かつ、基準目印溝ＭＫに沿ったアール１１０の表面１１１を形成することができる。
つまり、スケートボーダーにとって安全、かつ、曲率変化や凹凸のない滑らかなアール１１０を形成して提供することができる。
なお、技術的思想としては、スケートボードパークコンクリート施工用基準目印溝形成器具ＲＭが、上方基準接触部分ＲＭ１２と、下方基準接触部分ＲＭ１３と、湾曲部分ＲＭ１４とを有し、基準目印溝ＭＫを形成できればよく、取手部ＲＭ２は必要でない。
【００４１】
ステップＳ４では、図６（Ａ）および図６（Ｂ）に示すように、第１均し工程として、例えば、スケートボードパークコンクリート施工用Ｔ字型均し器具ＳＴを用いて、アール１１０の表面１１１を均す。
図７（Ａ）〜図７（Ｃ）に示すように、スケートボードパークコンクリート施工用Ｔ字型均し器具ＳＴは、第１板状部材である板状部ＳＴ１と、棒状部ＳＴ２とを備えている。
第１板状部材である板状部ＳＴ１は、第１所定方向に長尺に設けられている。
また、棒状部ＳＴ２は、板状部ＳＴ１に対して回動自在に連結して取り付けられている。
そして、板状部ＳＴ１を、ボトム１３０とプラットフォーム１４０とを結ぶ方向Ｓに対する幅方向Ｔに長尺にした姿勢でボトム１３０とプラットフォーム１４０とを結ぶ方向Ｓへ沿って移動させてアール１１０の表面１１１を均す。
なお、第１板状部材である板状部ＳＴ１が、板状部ＳＴ１の短手方向における中央部分ＳＴ１２が端部分ＳＴ１３より突出するような所定曲率の湾曲した湾曲面ＳＴ１１を有する構成でもよいし、真っ平らな構成でもよい。
湾曲面ＳＴ１１を有する構成である場合、所定曲率が、スケートボードパークのセクションのアール１１０である表面湾曲部の曲率であるとよい。
これにより、第１均し工程Ｓ４において、アール１１０の表面１１１の全域が第１板状部材である板状部ＳＴ１によってほぼ所定曲率の湾曲した湾曲面となる。
その結果、後述する仕上げ工程Ｓ６の作業を軽減することができる。
技術的思想として、第１板状部材である板状部ＳＴ１があればよく、棒状部ＳＴ２は必要でない。
【００４２】
さらに詳しく説明すると、スケートボードパークコンクリート施工用Ｔ字型均し器具ＳＴを用いてアール１１０となる領域の硬化前のコンクリートＵＣを削るようにシェイピングするが、基準目印溝ＭＫを目印にして、基準目印溝ＭＫが消えるか、消えないかのギリギリの深さにシェイピングする。
さらに、基準目印溝ＭＫの湾曲に沿ってシェイピングする。
言い換えると、第１均し工程Ｓ４において基準目印溝ＭＫを目印に硬化前のコンクリートＵＣを削るようにシェイピングしてアール１１０となる領域を均せばよい。
その結果、深さ方向において深く削ってしまうことを回避することができ、設計図通りの位置にアール１１０を形成することができる。
さらに、基準目印溝ＭＫを目印に硬化前のコンクリートＵＣを削るようにシェイピングしてアール１１０となる領域を均せばよい。
その結果、凹凸がなく、かつ、基準目印溝ＭＫに沿ったアール１１０の表面１１１を形成することができる。
つまり、スケートボーダーにとって安全、かつ、曲率変化や凹凸のない滑らかなアール１１０を形成して提供することができる。
【００４３】
ステップＳ５では、図８（Ａ）および図８（Ｂ）に示すように、第２均し工程として、例えば、セクションテンプレートとも呼ばれるスケートボードパークコンクリート施工用弧型均し器具ＳＰを用いて、アール１１０の表面１１１を均す。
図９（Ａ）および図９（Ｂ）に示すように、スケートボードパークコンクリート施工用弧型均し器具ＳＰは、第４板状部材である板状部ＳＰ１を備えている。
第４板状部材である板状部ＳＰ１は、第４所定方向に長尺に設けられ、取手部分ＳＰ１３を有している。
第４板状部材である板状部ＳＰ１の側縁（第４板状部材の側縁部）ＳＰ１１が、所定曲率の湾曲した湾曲部分ＳＰ１２を有している。
湾曲部分ＳＰ１２は、第４所定方向における中央部分が端部分より突出するように所定曲率で湾曲して形成されている。
ここで、第４板状部材である板状部ＳＰ１の湾曲部分ＳＰ１２の所定曲率が、スケートボードパークの設計図のランプセクション１００のアール１１０の曲率である。
そして、第４板状部材である板状部ＳＰ１を、ボトム１３０とプラットフォーム１４０とを結ぶ方向Ｓに長尺にした姿勢で、ボトム１３０とプラットフォーム１４０とを結ぶ方向Ｓに対する幅方向Ｔへ沿って移動させてアール１１０の表面１１１を均す。
これにより、第２均し工程Ｓ５において、アール１１０の表面１１１の全域が第４板状部材である板状部ＳＰ１によってより精度の高い所定曲率の湾曲した湾曲面となる。
その結果、次の仕上げ工程Ｓ６の作業をより一層軽減することができる。
つまり、スケートボーダーにとって安全、かつ、曲率変化や凹凸のない滑らかなアール１１０を形成して提供することができる。
なお、第４板状部材である板状部ＳＰ１の側縁ＳＰ１１の湾曲部分ＳＰ１２全域において、縁の角（板の厚み方向における角）が丸めてあると、アール１１０の表面１１１に傷がつきにくくなってよい。
【００４４】
ステップＳ６では、図１０（Ａ）および図１０（Ｂ）に示すように、仕上げ工程として、スケートボードパークコンクリート施工用コテＭＢを用いて、アール１１０の表面１１１の凹凸を整えて仕上げる。
図１１（Ａ）〜図１１（Ｃ）に示すように、スケートボードパークコンクリート施工用コテＭＢは、第２板状部材である板状部ＭＢ１と、取手部ＭＢ２とを備えている。
第２板状部材である板状部ＭＢ１は、第２所定方向に長尺に設けられている。
さらに、第２板状部材である板状部ＭＢ１は、第２所定方向における中央部分ＭＢ１２が端部分ＭＢ１３より突出するような所定曲率の湾曲した湾曲面ＭＢ１１を有している。
また、取手部ＭＢ２は、板状部ＭＢ１に取り付けられている。
ここで、第２板状部材である板状部ＭＢ１の湾曲面ＭＢ１１の所定曲率が、スケートボードパークの設計図のランプセクション１００のアール１１０の曲率である。
そして、板状部ＭＢ１を、ボトム１３０とプラットフォーム１４０とを結ぶ方向Ｓに長尺にした姿勢でボトム１３０とプラットフォーム１４０とを結ぶ方向Ｓおよび幅方向Ｔの少なくとも一方へ移動させてアール１１０の表面１１１の凹凸を整えて仕上げる。
なお、技術的思想として、第２板状部材である板状部ＭＢ１があればよく、取手部ＭＢ２は必要でない。
ステップＳ７では、型枠ＦＭや鉄筋保持材ＨＺを外し、アール１１０およびバーチカル１２０のコンクリートを養生させる。
【００４５】
これにより、アール１１０の表面１１１の全域が第２板状部材である板状部ＭＢ１によって、図１０（Ｂ）に示すように、所定曲率の湾曲した湾曲面となる。
その結果、スケートボーダーにとって安全、かつ、曲率変化や凹凸のない滑らかなアール１１０を形成して提供することができる。
さらに、ボトム１３０とプラットフォーム１４０とを結ぶ方向Ｓの全域に硬化前のコンクリートＵＣを配設して表面１１１を均して整えて仕上げる。
その結果、ボトム１３０とプラットフォーム１４０とを結ぶ方向Ｓに分割して硬化前のコンクリートＵＣを順次打設する工法と比べて、コンクリートが乾燥するに生じる収縮ムラによる波打ちのような曲率変化や凹凸をほぼ無にすることができるとともに表面１１１の地層のような模様を無にして見栄えをよくすることができる。
【００４６】
なお、その後、アール１１０およびバーチカル１２０の施工方法と同様、プラットフォーム１４０の施工を実施し、コーピング１５０を取り付けると、ランプセクション１００が完成する。
また、丁張りの水平材の一例として鉄筋保持材ＨＺを用いたが、鉄筋保持材ＨＺをそのままコーピング１５０として用いてもよい。
上述した実施例では、ランプセクション１００のアール１１０の施工方法について説明したが、他のボールセクションでも同様である。
ボールセクションのアール１１０である表面湾曲部は、ボトム１３０とプラットフォーム１４０とを結ぶ方向Ｓにおいて湾曲しているとともに、この結ぶ方向Ｓに対する幅方向Ｔにおいても湾曲している。
つまり、すり鉢状になっている。
ボールセクションを施工する場合、スケートボードパークコンクリート施工用Ｔ字型均し器具ＳＴの第１板状部材である板状部ＳＴ１が、前述した第１板状部材である板状部ＳＴ１の短手方向に加え、板状部ＳＴ１の長手方向における中央部分が端部分より突出するような第２所定曲率の湾曲した湾曲面を有しているとよい。
そして、第１板状部材である板状部ＳＴ１の湾曲面の第２所定曲率が、スケートボードパークの設計図のボールセクションの幅方向（ボール周方向）におけるアール１１０の曲率である。
【００４７】
スケートボードパークコンクリート施工用コテＭＢについても、スケートボードパークコンクリート施工用Ｔ字型均し器具ＳＴと同様である。
スケートボードパークコンクリート施工用コテＭＢの第２板状部材である板状部ＭＢ１は、前述した板状部ＭＢ１の長手方向に加え、短手方向における中央部分が端部分より突出するような第２所定曲率の湾曲した湾曲面を有している。
そして、第２板状部材である板状部ＭＢ１の湾曲面の第２所定曲率が、スケートボードパークの設計図のボールセクションの幅方向（ボール周方向）におけるアール１１０の曲率である。
【００４８】
このようにして得られた本発明の実施例であるスケートボードパークコンクリート施工方法は、硬化前のコンクリートＵＣをアール１１０となる領域におけるボトム１３０とプラットフォーム１４０とを結ぶ方向Ｓの全域に配設する硬化前コンクリート配設工程Ｓ２と、第１所定方向に長尺な第１板状部材である板状部ＳＴ１を、ボトム１３０とプラットフォーム１４０とを結ぶ方向Ｓに対する幅方向Ｔに長尺にした姿勢でボトム１３０とプラットフォーム１４０とを結ぶ方向Ｓへ沿って移動させてアール１１０の表面１１１を均す第１均し工程Ｓ４と、第２所定方向に長尺であり第２所定方向における中央部分ＭＢ１２が端部分ＭＢ１３より突出するような第１所定曲率の湾曲した湾曲面ＭＢ１１を有した第２板状部材である板状部ＭＢ１を、ボトム１３０とプラットフォーム１４０とを結ぶ方向Ｓに長尺にした姿勢でボトム１３０とプラットフォーム１４０とを結ぶ方向Ｓおよび幅方向Ｔの少なくとも一方へ移動させてアール１１０の表面１１１の凹凸を整えて仕上げる仕上げ工程Ｓ６とを具備していることにより、スケートボーダーにとって安全、かつ、曲率変化や凹凸のない滑らかなアール１１０を形成して提供することができ、ボトム１３０とプラットフォーム１４０とを結ぶ方向Ｓに分割して硬化前のコンクリートＵＣを順次打設する工法と比べて、コンクリートが乾燥するに生じる収縮ムラによる波打ちのような曲率変化や凹凸をほぼ無にすることができるとともに表面１１１の地層のような模様を無にして見栄えをよくすることができる。
【００４９】
さらに、硬化前コンクリート配設工程Ｓ２において、硬化前のコンクリートＵＣを送るコンクリート用チューブＴＢ１の先端および圧縮空気を送る空気用チューブＴＢ２の先端に設けられたノズルＮＺから圧縮空気によって硬化前のコンクリートＵＣを噴射してアール１１０となる領域に配設することにより、硬化前のコンクリートＵＣを流し込む工法の場合のように硬化前のコンクリートＵＣが垂れてしまうことを回避して、硬化前のコンクリートＵＣをアール１１０となる領域に簡単に定着させることができ、さらに、振動式タンピング機を用いてコンクリートの内部のエアーを逃がすタンピング工程が不要となり、その分だけ作業を軽減するとともに時間を短縮することができる。
【００５０】
また、硬化前コンクリート配設工程Ｓ２と第１均し工程Ｓ４との間に、第３所定方向に長尺な第３板状部材である板状部ＲＭ１の側縁ＲＭ１１が、第３所定方向の一端側においてセクションのアール１１０より上方に設置された丁張りの水平材の一例である鉄筋保持材ＨＺと接触する上方基準接触部分ＲＭ１２と、第３所定方向の他端側においてセクションのボトム１３０となる箇所の位置決め箇所ＢＴと接触する下方基準接触部分ＲＭ１３と、上方基準接触部分ＲＭ１２と下方基準接触部分ＲＭ１３との間において、第３所定方向の中央部分が端部分より突出するような第２板状部材である板状部ＭＢ１と同じ第１所定曲率の湾曲した湾曲部分ＲＭ１４とを有し、第３板状部材である板状部ＲＭ１をボトム１３０とプラットフォーム１４０とを結ぶ方向Ｓに長尺にした姿勢で、アール１１０となる領域における硬化前のコンクリートＵＣに対して第３板状部材である板状部ＲＭ１の湾曲部分ＲＭ１４を押し当てて深さ方向においてアール１１０の表面１１１となる基準目印溝ＭＫを形成し、第３板状部材である板状部ＲＭ１を、幅方向Ｔに移動させて、アール１１０となる領域における硬化前のコンクリートＵＣに対して第３板状部材である板状部ＲＭ１の湾曲部分ＲＭ１４を押し当てて幅方向Ｔにおいて基準目印溝ＭＫを複数形成する基準目印溝形成工程Ｓ３をさらに具備していることにより、設計図通りの位置にアール１１０を形成することができ、凹凸がなく、かつ、基準目印溝ＭＫに沿ったアール１１０の表面１１１を形成することができる。
【００５１】
さらに、第１均し工程Ｓ４の第１板状部材である板状部ＳＴ１が、第１板状部材である板状部ＳＴ１の短手方向における中央部分ＳＴ１２が端部分ＳＴ１３より突出するような第２板状部材である板状部ＭＢ１と同じ第１所定曲率の湾曲した湾曲面ＳＴ１１を有していることにより、仕上げ工程Ｓ６の作業を軽減することができる。
【００５２】
また、第１均し工程Ｓ４と仕上げ工程Ｓ６との間に、第４所定方向に長尺な第４板状部材である板状部ＳＰ１の側縁ＳＰ１１が、第４所定方向における中央部分が端部分より突出するような第２板状部材である板状部ＭＢ１と同じ第１所定曲率の湾曲した湾曲部分ＳＰ１２を有し、第４板状部材である板状部ＳＰ１を、ボトム１３０とプラットフォーム１４０とを結ぶ方向Ｓに長尺にした姿勢で、ボトム１３０とプラットフォーム１４０とを結ぶ方向Ｓに対する幅方向Ｔへ沿って移動させてアール１１０の表面１１１を均す第２均し工程Ｓ５をさらに具備していることにより、仕上げ工程Ｓ６の作業をより一層軽減することができる。
【００５３】
さらに、本発明の実施例であるスケートボードパークコンクリート施工用コテＭＢは、第２板状部材である板状部ＭＢ１と、第２板状部材である板状部ＭＢ１に取り付けられた取手部ＭＢ２とを備え、第２板状部材である板状部ＭＢ１が、第２所定方向に長尺であり第２所定方向における中央部分ＭＢ１２が端部分ＭＢ１３より突出するような第１所定曲率の湾曲した湾曲面ＭＢ１１を有し、第１所定曲率が、スケートボードパークの設計図のランプセクション１００のアール１１０である表面湾曲部の曲率であることにより、スケートボーダーにとって安全、かつ、曲率変化や凹凸のない滑らかなアール１１０を形成して提供することができる。
【００５４】
また、本発明の実施例であるスケートボードパークコンクリート施工用Ｔ字型均し器具ＳＴは、第１板状部材である板状部ＳＴ１と、第１板状部材である板状部ＳＴ１に対して回動自在に連結して取り付けられた棒状部ＳＴ２とを備え、第１板状部材である板状部ＳＴ１が、第１所定方向に長尺であり、第１板状部材である板状部ＳＴ１の短手方向における中央部分ＳＴ１２が端部分ＳＴ１３より突出するような第１所定曲率の湾曲した湾曲面ＳＴ１１を有し、第１所定曲率が、スケートボードパークのセクションのアール１１０である表面湾曲部の曲率であることにより、仕上げ工程Ｓ６の作業を軽減することができる。
【００５５】
さらに、本発明の実施例であるスケートボードパークコンクリート施工用基準目印溝形成器具ＲＭは、第３板状部材である板状部ＲＭ１を備え、第３板状部材である板状部ＲＭ１が、第３所定方向に長尺であり、第３板状部材である板状部ＲＭ１の側縁ＲＭ１１が、第３所定方向の一端側においてセクションのアール１１０である表面湾曲部より上方に設置された丁張りの水平材と接触する上方基準接触部分ＲＭ１２と、第３所定方向の他端側においてセクションのボトム１３０となる箇所の位置決め箇所ＢＴと接触する下方基準接触部分ＲＭ１３と、上方基準接触部分ＲＭ１２と下方基準接触部分ＲＭ１３との間において、第３所定方向の中央部分が端部分より突出する第１所定曲率の湾曲した湾曲部分ＲＭ１４とを有し、第１所定曲率が、スケートボードパークのセクションのアール１１０である表面湾曲部の曲率であることにより、深さ方向において深く削ってしまうことを回避するとともに、設計図通りの位置にアール１１０を形成することができ、さらに、凹凸がなく、かつ、基準目印溝ＭＫに沿ったアール１１０の表面１１１を形成することができる。
【００５６】
さらに、本発明の実施例であるスケートボードパークコンクリート施工用弧型均し器具ＳＰは、第４板状部材である板状部ＳＰ１を備え、第４板状部材である板状部ＳＰ１が、第４所定方向に長尺であり、第４板状部材である板状部ＳＰ１の側縁ＳＰ１１が、第４所定方向の中央部分が端部分より突出する第１所定曲率の湾曲した湾曲部分ＳＰ１２を有し、第１所定曲率が、スケートボードパークのセクションのアール１１０である表面湾曲部の曲率であることにより、仕上げ工程Ｓ６の作業をより一層軽減することができるなど、その効果は甚大である。
【符号の説明】
【００５７】
１００  ・・・  ランプセクション
１１０  ・・・  アール（表面湾曲部）
１１１  ・・・  表面
１２０  ・・・  バーチカル（垂直面部）
１３０  ・・・  ボトム（水平面部）
１４０  ・・・  プラットフォーム
１５０  ・・・  コーピング（パイプ部）
ＵＣ    ・・・  硬化前のコンクリート
ＭＫ    ・・・  基準目印溝
ＴＢ１  ・・・  コンクリート用チューブ
ＴＢ２  ・・・  空気用チューブ
ＮＺ    ・・・  ノズル
ＦＭ    ・・・  型枠
ＲＢ    ・・・  鉄筋
ＢＫ    ・・・  盛り土
ＢＲ    ・・・  コンクリート受け板
ＨＺ    ・・・  鉄筋保持材（丁張りの水平材）
ＢＴ    ・・・  （ボトムの）位置決め箇所
ＭＢ    ・・・  スケートボードパークコンクリート施工用コテ
ＭＢ１  ・・・  板状部（第２板状部材）
ＭＢ１１・・・  湾曲面
ＭＢ１２・・・  （長手方向における）中央部分
ＭＢ１３・・・  （長手方向における）端部分
ＭＢ２  ・・・  取手部
ＳＴ    ・・・  スケートボードパークコンクリート施工用Ｔ字型均し器具
ＳＴ１  ・・・  板状部（第１板状部材）
ＳＴ１１・・・  湾曲面
ＳＴ１２・・・  （短手方向における）中央部分
ＳＴ１３・・・  （短手方向における）端部分
ＳＴ２  ・・・  棒状部
ＲＭ    ・・・  スケートボードパークコンクリート施工用基準目印溝形成器具（アール定規）
ＲＭ１  ・・・  板状部（第３板状部材）
ＲＭ１１・・・  側縁
ＲＭ１２・・・  上方基準接触部分
ＲＭ１３・・・  下方基準接触部分
ＲＭ１４・・・  湾曲部分
ＲＭ１５・・・  直線部分
ＲＭ２  ・・・  取手部
ＳＰ    ・・・  スケートボードパークコンクリート施工用弧型均し器具（セクションテンプレート）
ＳＰ１  ・・・  板状部（第４板状部材）
ＳＰ１１・・・  側縁
ＳＰ１２・・・  湾曲部分
ＳＰ１３・・・  取手部分
Ｓ      ・・・  ボトムとプラットフォームとを結ぶ方向
Ｔ      ・・・  （ボトムとプラットフォームとを結ぶ方向に対する）幅方向
Ｄ      ・・・  （設計図の）アール設計表面
５００  ・・・  （従来の）ランプセクション
５１０  ・・・  アール（表面湾曲部）
５１１  ・・・  表面
５２０  ・・・  バーチカル（垂直面部）
５３０  ・・・  ボトム（水平面部）
５４０  ・・・  プラットフォーム
５５０  ・・・  コーピング（パイプ部）
【図１】
2020105871.tif 000003
【図２】
2020105871.tif 000004
【図３】
2020105871.tif 000005
【図４】
2020105871.tif 000006
【図５】
2020105871.tif 000007
【図６】
2020105871.tif 000008
【図７】
2020105871.tif 000009
【図８】
2020105871.tif 000010
【図９】
2020105871.tif 000011
【図１０】
2020105871.tif 000012
【図１１】
2020105871.tif 000013
【図１２】
2020105871.tif 000014